(57)【要約】【課題】引出体がキャビネットに収納された状態でも該引出体の内部の換気が行われるとともに、キャビネットの外観体裁を損ねることのないキャビネットを提供すること。【解決手段】上面が開口する略箱状に形成された引出体６ｂ、６ｃが、キャビネットの本体の内部に収納された収納位置と該収納位置から前記本体の外方に向けて引出された引出位置との間で前後方向に移動自在に設けられたキャビネットであって、前記引出体６ｃの底面には、該引出体の内部空間と外部空間とを連通するための連通部１４が形成されているとともに、前記キャビネットの前面における該引出体６ｃの下方が該引出体６ｃの前面１１よりも奥側に配置されており、該引出体６ｃが前記収納位置に収納された状態において前記連通部１４が外部空間に露呈されるようになっている。【選択図】図４
2008253518.tif 000002
【特許請求の範囲】
【請求項１】
上面が開口する略箱状に形成された引出体が、キャビネットの本体の内部に収納された収納位置と該収納位置から前記本体の外方に向けて引出された引出位置との間で前後方向に移動自在に設けられたキャビネットであって、
前記引出体の底面には、該引出体の内部空間と外部空間とを連通するための連通部が形成されているとともに、前記キャビネットの前面における該引出体の下方が該引出体の前面よりも奥側に配置されており、該引出体が前記収納位置に収納された状態において前記連通部が外部空間に露呈されるようになっていることを特徴とするキャビネット。
【請求項２】
前記引出体は、床面から所定高さに形成されたケコミ部の上方に配置され、前記連通部は、該引出体が前記収納位置に収納された状態において前記ケコミ部内に露呈されるようになっていることを特徴とする請求項１に記載のキャビネット。
【請求項３】
前記連通部は、前記引出体の前面板の裏面近傍に形成されていることを特徴とする請求項１または２に記載のキャビネット。
【請求項４】
前記引出体の底面に、幅方向に延びる凹溝が形成され、該凹溝内に前記連通部が形成されていることを特徴とする請求項１ないし３のいずれかに記載のキャビネット。
【請求項５】
前記引出体が前記収納位置に収納された状態において前記連通部を被覆するメッシュ状のフィルターを備えることを特徴とする請求項１ないし４のいずれかに記載のキャビネット。
【請求項６】
前記引出体は、上下方向に複数配置されており、該複数配置された引出体のうち最下段に配置された引出体に形成された連通部が、該引出体が前記収納位置に収納された状態において外部空間に露呈されるようになっていることを特徴とする請求項１ないし５のいずれかに記載のキャビネット。
【請求項７】
前記引出体の前面板下部が該引出体の前面板上部よりも奥側に配置され、該引出体の前面板下部にケコミ部が凹設されるとともに、該ケコミ部を構成する引出体の前面板上部と前面板下部との間に前記連通部が設けられていることを特徴とする請求項１ないし６のいずれかに記載のキャビネット。
【発明の詳細な説明】
【技術分野】
【０００１】
本発明は、上面が開口する略箱状に形成された引出体が、キャビネットの本体の内部に収納された収納位置と該収納位置から前記本体の外方に向けて引出された引出位置との間で前後方向に移動自在に設けられたキャビネットに関する。
【背景技術】
【０００２】
従来、この種のキャビネットとしては、例えば、システムキッチンの下方に引出収納部（引出体）を上下２段連設されて設けられ、上方の引出収納部の上方に設けられたシンクを前方から覆う幕板にキャビネットの内部と外部との間で連通する第１通気孔が形成されており、更に、下方の引出収納部のフロントパネル両端に取り付けられたサイドキャップに下方の引出収納部の内部と外部との間で連通する第２通気孔が形成されて、第１通気孔と第２通気孔により引出収納部内に空気の流れを発生させて結露の発生を回避しており、引出収納部内が衛生的な環境を維持できるようにしているもの等がある（例えば、特許文献１参照）。
【０００３】
【特許文献１】特開平２００４−２９０５０６号公報（第３頁、第２図）
【発明の開示】
【発明が解決しようとする課題】
【０００４】
しかしながら、特許文献１に記載のキャビネットにあっては、第２通気孔は引出収納部がキャビネット内に収納されているときは隣り合う引出収納部に遮られて十分な空気の流れが得られず、十分な空気の流れを得ようとすれば引出収納部を前方に移動させなければならないという問題があった。
【０００５】
本発明は、このような問題点に着目してなされたもので、引出体がキャビネットに収納された状態でも該引出体の内部の換気が行われるとともに、キャビネットの外観体裁を損ねることのないキャビネットを提供することを目的とする。
【課題を解決するための手段】
【０００６】
前記課題を解決するために、本発明の請求項１に記載のキャビネットは、
上面が開口する略箱状に形成された引出体が、キャビネットの本体の内部に収納された収納位置と該収納位置から前記本体の外方に向けて引出された引出位置との間で前後方向に移動自在に設けられたキャビネットであって、
前記引出体の底面には、該引出体の内部空間と外部空間とを連通するための連通部が形成されているとともに、前記キャビネットの前面における該引出体の下方が該引出体の前面よりも奥側に配置されており、該引出体が前記収納位置に収納された状態において前記連通部が外部空間に露呈されるようになっていることを特徴とする。
この特徴によれば、引出体が収納位置に収納された状態において、連通部が外部空間に露呈されることで、引出体の内部と外部空間とが確実に連通するため、収納状態においても引出体の内部の換気が行われる。また、連通部が引出体の底面に形成されることで、連通部を介してゴミ等が進入しにくいばかりか、外方から見えにくいため外観体裁を損ねることがない。
【０００７】
本発明の請求項２に記載のキャビネットは、請求項１に記載のキャビネットであって、
前記引出体は、床面から所定高さに形成されたケコミ部の上方に配置され、前記連通部は、該引出体が前記収納位置に収納された状態において前記ケコミ部内に露呈されるようになっていることを特徴としている。
この特徴によれば、連通部を外部に露呈させるためにキャビネットの構造を変えたりすることなく、ケコミ部を利用することで連通部を簡単に外部に露呈させることができる。
【０００８】
本発明の請求項３に記載のキャビネットは、請求項１または２に記載のキャビネットであって、
前記連通部は、前記引出体の前面板の裏面近傍に形成されていることを特徴としている。
この特徴によれば、引出体が収納された状態において、キャビネットの正面に大きな段差を形成することなく、連通部を露呈させることができる。キャビネットの内部の収納スペースを削減しなくて済む。
【０００９】
本発明の請求項４に記載のキャビネットは、請求項１ないし３のいずれかに記載のキャビネットであって、
前記引出体の底面に、幅方向に延びる凹溝が形成され、該凹溝内に前記連通部が形成されていることを特徴としている。
この特徴によれば、引出体の内部に収納された物品により連通部が塞がれることを回避できるため、換気作用の低減を防止できる。
【００１０】
本発明の請求項５に記載のキャビネとは、請求項１ないし４のいずれかに記載のキャビネットであって、
前記引出体が前記収納位置に収納された状態において前記連通部を被覆するメッシュ状のフィルターを備えることを特徴としている。
この特徴によれば、ゴミや虫等の連通部からの進入を確実に防止できる。
【００１１】
本発明の請求項６に記載のキャビネットは、請求項１ないし５のいずれかに記載のキャビネットであって、
前記引出体は、上下方向に複数配置されており、該複数配置された引出体のうち最下段に配置された引出体に形成された連通部が、該引出体が前記収納位置に収納された状態において外部空間に露呈されるようになっていることを特徴としている。
この特徴によれば、各段の引出体の連通部を外部に露呈させることなく、キャビネットの内部空間を外部と連通させることができる。
【００１２】
本発明の請求項７に記載のキャビネットは、請求項１ないし６のいずれかに記載のキャビネットであって、
前記引出体の前面板下部が該引出体の前面板上部よりも奥側に配置され、該引出体の前面板下部にケコミ部が凹設されるとともに、該ケコミ部を構成する引出体の前面板上部と前面板下部との間に前記連通部が設けられていることを特徴としている。
この特徴によれば、引出体の前面板下部にケコミ部が形成される場合でも、該ケコミ部を構成する引出体の前面板上部と前面板下部との間に連通部が設けられることで、引出体が収納位置に収納された状態においても連通部が外部空間に露呈され、引出体の内部と外部空間とが確実に連通される。
【発明を実施するための最良の形態】
【００１３】
本発明に係るキャビネットを実施するための最良の形態を実施例に基づいて以下に説明する。
【実施例１】
【００１４】
本発明の実施例を図面に基づいて説明すると、先ず図１は、本発明の実施例１としてのシステムキッチンの全体像を示す斜視図であり、図２は、図１のシステムキッチンに収納された引出体を示す背面斜視図であり、図３は、図１におけるシステムキッチンのＡ−Ａ縦断面図であり、図４は、図１におけるシステムキッチンのＢ−Ｂ縦断面図である。尚、以下、図３および図４の紙面左側をシステムキッチンの正面側として説明する。
【００１５】
図１の符号１は、本発明の適用された本実施例におけるキャビネットとしてのシステムキッチンである。このシステムキッチン１について説明すると、システムキッチン１の上部右側には使用者が食器等を洗うのに使用するシンク部２が設けられており、上部中央はシステムキッチン１上での作業スペース３、上部左側は調理を行うためのコンロ部４が設けられている。
【００１６】
システムキッチン１の下部には、収納物を収納可能な収納空間５が設けられており、この収納空間５内には、上段と下段に別れて食材や食器等の収納物を収納可能な引出体６ａ〜６ｄ、７ａ〜７ｃが引出し自在に収納されている。具体的には、収納空間５の上段に引出体６ａ〜６ｄが配置され、その下段に引出体７ａ，７ｂ，７ｃが収納されている。
【００１７】
以下、この収納空間５に収納された引出体６ａ〜６ｄ、７ａ〜７ｃのうち、システムキッチン１の正面から見て右側に配置される引出体６ａ，７ａについて説明する。
【００１８】
尚、引出体６ａ，７ａがシステムキッチン１の収納空間５内に取り付けられている状態において、引出体６ａ，７ａの右側とは、使用者がシステムキッチン１の正面側に立って右側のことであり、引出体６ａ，７ａの左側とは、使用者がシステムキッチン１の正面側に立って左側のことであり、引出体６ａ，７ａの背面側とは、システムキッチン１を挟んで正面側と対向する側のことであるものとする。
【００１９】
図２及び図３に示すように、下段の引出体７ａは、底板８と、この底板８の左右両端に取り付けられる一対の側板９，９と、これら底板８と側板９，９の後端に取り付けられる後板１０と、これら底板８と側板９，９の前端に取り付けられる前板１１とを備え、上方に開口する略四角箱状に形成されている。また、前板１１正面には把手１２が取り付けられており、この把手１２を使用者が掴むことで前後移動可能となっている。
【００２０】
上段の引出体６ａは、引出体７ａと略同一に上方に開口する箱状に構成されているが、引出体６ａ底面前端部である前板１１裏面と底板８の前端との間に、左右幅方向に延びる連通部１４が形成されている。該連通部１４は、前板１１、側板９，９、底板８とで囲まれた矩形状の連通口であり、後述する貫通孔１８を有する板材１７にて閉塞されている。また、前板１１上端部には使用者が掴んで引出体６ａを前後移動させる把手１３が取り付けられており、この把手１３には、外部空間と引出体６ａ内とを連通する通風孔１５が幅方向に向けて所定間隔おきに複数形成されている。
【００２１】
引出体６ａの前後幅寸法は、特に図３に示されるように、引出体７ａの前後幅寸法よりも長寸に形成されているため、引出体６ａ，７ａが収納空間５内に収納された状態において、下段の引出体７ａの前板１１がその上段の引出体６ａの前板１１よりもシステムキッチン１の奥側（収納位置側（内側））となるように配置される。つまり、キャビネットとしてのシステムキッチン１の正面を構成する引出体７ａの前板１１の前面は、同じくシステムキッチン１の正面を構成する引出体６ａの前板１１の前面下方に位置している。すなわち、引出体６ａの前板１１の前面下方に位置する引出体７ａの前板１１の前面は、引出体６ａの前板１１の前面よりも奥側に配置されており、これにより引出体６ａの底面に設けられた連通部１４が外部空間に対して露呈されるようになっている。
【００２２】
このように、引出体６ａ，７ａが収納空間５内における収納位置に収納された状態において、上段の引出体６ａの底面に形成された連通部１４の下面が下方に向けて開放されて外部空間に露呈されることで、引出体６ａの内部と外部空間とが確実に連通するため、収納状態においても引出体６ａの内部の換気が行われる。また、連通部１４が引出体６ａの底面に形成されることで、連通部１４が下向きに開放されるため、連通部１４を介してゴミ等が進入しにくいばかりか、外方から見えにくいため外観体裁を損ねることがない。
【００２３】
また、収納状態において、引出体７ａの前板１１が引出体６ａの前板１１よりもシステムキッチン１の奥側となるように配置されることで、システムキッチン１の正面下方にはケコミ部１６が形成されることになる。このケコミ部１６は、システムキッチン１の使用者の脚の膝までが入る程度の高さに形成されているため、よりシステムキッチン１の正面に近づいて作業を行うことができるようになっている。
【００２４】
更に、引出体６ａ，７ａが収納空間５内に収納された状態において、このケコミ部１６上方には引出体６ａが配置されており、引出体６ａの前端部に形成された連通部１４がケコミ部１６内に露呈される、つまり、ケコミ部１６を形成するための段部を利用して連通部１４が露呈させることで、連通部１４を外部に露呈させるために、ケコミ部１６とは別に段部等を形成するためにシステムキッチン１の構造を変えたりすることなく、ケコミ部１６を利用して連通部１４を簡単に外部に露呈させることができる。
【００２５】
尚、連通部１４は前板１１の裏面近傍、つまり引出体６ａの前側に形成されていることにより、引出体６ａ，７ａが収納された状態において、システムキッチン１の正面に大きな段差を形成することなく、つまりケコミ部１６の奥行き寸法を極端に大きくすることなく、連通部１４を露呈させることができるとともに、システムキッチン１内の収納空間５を削減しなくて済む。
【００２６】
また、連通部１４には、板体１７がその前後端を前板１１裏面と底板８正面とに螺着されることで、これら前板１１裏面と底板８正面とを連結するように、かつ、その間に形成された連通部１４を閉塞するように取り付けられており、連通部１４上にも収納物を載置可能とされているとともに、収納物の落下が防止されている。また、この板体１７の収納物が載置される面には、幅方向に延びる貫通孔１８が複数形成されており、これら複数の貫通孔１８により連通部１４が構成されている。
【００２７】
尚、貫通孔１８は、引出体６ａ内に収納される収納物が連通部１４から落下しない程度の大きさであることが好ましく、内部空間と外部空間とを連通可能とするものであれば、その数量、形状、大きさ等は特に問わない。
【００２８】
板体１７は、引出体６ａの底板８下方にまで屈曲して延出されており、その下部には、板体１７と前板１１背面間に連通部１４を閉塞（被覆）するようにカセット体１９が取り付けられている。このカセット体１９には、通気性のメッシュ状のフィルター２０が装着されており、このフィルター２０によりゴミや虫等の引出体６ａの下方からの進入を確実に防ぐことができる。
【００２９】
尚、カセット体１９は取り外し可能となっており、定期的にカセット体１９内のフィルター２０もしくはカセット体１９自体を交換することで、清潔に引出体６ａ内にゴミや虫等の侵入を防ぐことができる。また、該フィルター２０に、防虫剤等を予め含浸させて防虫作用を向上するようにしてもよい。さらに、引出体６ａの把手１３に形成された通風孔１５にこのフィルター２０を取り付けることで、上方からも引出体６ａ内にゴミや虫等の進入を防ぐようにしてもよい。
【００３０】
以上の構成により、図３に示すように、引出体６ａ，７ａが収納空間５に収納された状態において、引出体６ａの内部において把手１３に形成された通風孔１５と連通部１４間に黒矢印にて示す向き、もしくは逆の向きに空気の流れが発生し、換気が行われやすくなる。これにより、例えば引出体６ａ内に根菜類等を収納した場合でも、通風孔１５と連通部１４間の空気の流れにより常に換気されている状態が続くので、引出体６ａ内に臭いが篭ったりすることがなくなる。
【００３１】
また、下段の引出体７ａの内部も、収納位置において収納空間５を介して上段の引出体６ａの内部に連通しているため、上段の引出体６ａの内部のみならず、下段の引出体７ａの内部の換気も連通部１４を介して行われることになる。
【００３２】
また、引出体６ａの上方に配置されるシンク部２の使用時に冷水や熱湯を使用したことにより収納空間５上方に設けられている配管２１より結露等が発生した場合であっても、常に換気されている状態が続くので、引出体６ａ内にカビが発生することもなく清潔に保たれる。
【００３３】
次に、引出体６ｂ，６ｃ，７ｂについて説明すると、図４に示すように、収納空間５の上段に収納された引出体６ｂ，６ｃは引出体６ａと略同一構成であるが、最上段の引出体６ｂには連通部１４’は設けられているものの、カセット体１９は取り付けられていないとともに、該連通部１４’は外部空間と直接連通されておらず、つまり外部に露呈されておらず、その下方の引出体６ｃの内部に連通されている。よって、引出体６ｂの通風孔１５からの空気は引出体６ｂの連通部１４’を通過してその下方の引出体６ｃの連通部１４を介して抜けるようにして収納空間５内に収納されている。
【００３４】
また、最下段の引出体７ｂは引出体７ａと略同一構成であって、前板１１の上端からは、前方に突出した上板２２が連設されている。この上板２２は、引出体６ｂ，６ｃ，７ｂが収納空間５内に収納された状態において引出体６ｃの連通部１４を閉塞する長さにまで形成されており、その下方空間がケコミ部１６に形成されている。
【００３５】
更に、上板２２には上下方向に貫通する通気孔２３が形成されており、この通気孔２３を通して通風孔１５，１５からの空気の流れが黒矢印で示すように形成されて引出体６ｂ，６ｃ，７ｂ内を常に換気されている状態とすることができる。つまり、この通気孔２３は連通部１４の一部を構成している。尚、通気孔２３にはフィルター２０が取り付けられ、引出体６ｂ，６ｃ内へのゴミや虫等の進入を防いでいる。
【００３６】
このように、上下方向に複数の引出体６ｂ，６ｃ，７ｂが配置されている場合には、複数段配置された引出体６ｂ，６ｃ，７ｂのうち、引出体６ｂ，６ｃ，７ｂが収納空間５内の収納位置に収納された状態において、引出体の前板１１が上方の引出体の前板１１よりも奥側に配置される引出体７ｂを除く引出体６ｂ，６ｃのうち最下段に配置された引出体６ｃに形成された連通部１４が、引出体６ｂ，６ｃ，７ｂが収納空間５内に収納された状態において外部空間に露呈されるようになっていれば、各段の引出体それぞれに連通部を設け、かつ、下方の引出体７ｂの前板１１をその上方の引出体に設けた連通部よりも奥側に配置して、各段の引出体６ｂ，６ｃの連通部１４を外部に露呈させることなく、システムキッチン１の内部空間を外部と連通させることができる。
【００３７】
このようにすることで、システムキッチン１の正面に、各段の引出体に設けた連通部をそれぞれ外部に露呈させるための段部が複数形成されることがないので、システムキッチン１の構造が複雑化することがないとともに、システムキッチン１の正面の外観体裁が損なわれることがない。
【実施例２】
【００３８】
次に、実施例２に係るキャビネットにつき、図５を参照して説明する。尚、前記実施例と同一構成で重複する構成は、同一の符号を付すことでその説明は省略する。図５は、実施例２としてのシステムキッチンを示す縦断面図である。
【００３９】
図５に示すように、収納空間５には引出体６ａ’，７ａが収納されている。引出体６ａ’の前板１１背面と底板８前端に螺着されて取り付けられる板体１７’は幅方向に延びる凹溝２４に形成されており、この凹溝２４の底面には連通部１４と連通する貫通孔１８が複数形成されている。
【００４０】
このように、引出体６ａ’の内部に収納された収納物が、板体１７’に形成された貫通孔１８を塞ぐことにより貫通孔１８が塞がれることを、板体１７’に凹溝２４を形成すること、つまり、底板８の底面よりも低位置となる凹溝２４の底面に貫通孔１８を形成することで回避することができるため、換気作用の低減を防止することができる。
【００４１】
また、凹溝２４を利用して、前板１１背面と凹溝２４後部にかけて濡れた俎板２５等を立て掛けることができるため、換気作用により俎板２５を乾燥させることができる。
【実施例３】
【００４２】
次に、実施例３に係るキャビネットにつき、図６を参照して説明する。尚、前記実施例に示される構成部分と同一構成部分に付いては同一の符号を付すことでその説明は省略する。図６は、実施例３としてのシステムキッチンを示す縦断面図である。
【００４３】
図６に示すように、システムキッチン１の収納空間５には複数段の引出体６ａ’’が上下方向に収納されており、最下段の引出体６ａ’’の底面に形成された連通部１４がケコミ部１６’に露呈してそれぞれの引出体６ａ’’の内部を換気可能となっている。ケコミ部１６’は、引出体６ａ’’の前板１１よりもシステムキッチン１の奥側となるようにケコミ板２６が配置されることで、システムキッチン１の正面下方に形成されており、その高さは使用者の足首程度までの高さに形成されている。
【００４４】
このように、連通部１４が設けられた引出体６ａ’’の下方には、前記実施例１，２にて説明したように、必ずしも引出体が配置されていなくてもよい。すなわち、システムキッチン１の正面（前面）における連通部が設けられた引出体の下方が、システムキッチン１の本体正面（前面）の一部を構成するケコミ板２６等の固定板の前面にて構成されていてもよい。
【００４５】
また、最下段の引出体６ａ’’の底面に形成された連通部１４がケコミ部１６’に露呈されていることで、ケコミ部１６’の高さを従来の高さに形成することでより外方から連通部１４を見えにくくすることができる。
【００４６】
また、ケコミ板２６の上端からは、引出体６ａ’’が収納位置に収納された状態において連通部１４に連通する通気孔２３が形成された上板２２が前向きに連設されており、該通気孔２３を介して連通部１４が外部空間に露呈されるようになっている。また、該通気孔２３には、上述したフィルター２０が連通部１４の下面を被覆するように設けられており、ゴミや虫等の進入が防止されている。このようにフィルター２０は、前記実施例１，２のように連通部１４に設けられていなくてもよく、上板２２等のシステムキッチン１の本体側に設けられていてもよい。
【実施例４】
【００４７】
次に、実施例４に係るキャビネットにつき、図７を参照して説明する。尚、前記実施例に示される構成部分と同一構成部分に付いては同一の符号を付すことでその説明は省略する。図７は、実施例４としてのシステムキッチンを示す縦断面図である。
【００４８】
図７に示すように、システムキッチン１の収納空間５には複数段の引出体６ａ’’が上下方向に収納されており、最下段には引出体６ａ’’が取り付けられている。また、前記実施例１，２においては、複数段の引出体が収納空間５内の収納位置に収納された状態において、最下段の引出体の前板１１がその上方の引出体の前板１１よりも奥側（収納位置側）に配置されることにより、システムキッチン１の正面下部にケコミ部が形成されるようになっていたが、本実施例４のシステムキッチン１にあっては、最下段に配置された引出体６ａ’’の前板１１の下部が奥側に向けて凹設されることにより該前板１１の前面下部にケコミ部１６’が形成されている。
【００４９】
具体的には、前板１１における下部１１ｂが上部１１ａよりも奥側に配置されてケコミ板の一部を構成しており、これら上部１１ａの下端と下部１１ｂの上端との間に連通部１４が設けられている。すなわち、システムキッチン１の前面を構成する引出体６ａ’’の下方である下部１１ｂが、該引出体６ａ’’の前面である上部１１ａよりも奥側に配置されていることで、該引出体６ａ’’が収納位置に収納された状態において連通部１４が外部空間に露呈されるようになっている。
【００５０】
また、連通部１４の上方には、貫通孔１８が複数形成された板体１７が設けられており、この連通部１４の上方に配置された板体１７は、その後方に配置される底板８よりも高い位置に配置されていることで、引出体６ａ’’の底面における前部に段部が形成されている。すなわち、この引出体６ａ’’の底面は、連通部１４の上方を覆う板体１７の上面と底板８の上面とにより構成されている。
【００５１】
また、上部１１ａの下端と下部１１ｂの上下方向の略中央位置とを連結する上板２２は、ケコミ部１６’の上面を構成しており、該上板２２に形成された通気孔２３はフィルター２０により閉塞されている。
【００５２】
このように、ケコミ部１６’が引出体６ａ’’の前板１１の下部に形成されている場合でも、連通部１４は引出体６ａ’’の底面の一部（板体１７の上面）に形成されていることになる、つまり外部空間に対して下向きに開放されるため、引出体６ａ’’が収納位置に収納された状態において連通部１４を介してゴミ等が進入しにくいばかりか、連通部１４が外方から見えにくいので外観体裁を損ねることがない。
【実施例５】
【００５３】
次に、実施例５に係るキャビネットにつき、図７を参照して説明する。尚、前記実施例に示される構成部分と同一構成部分に付いては同一の符号を付すことでその説明は省略する。図８は、実施例５としてのシステムキッチンを示す縦断面図である。
【００５４】
図８に示すように、システムキッチン１の収納空間５には引出体６ａと引出体７ａとが上下方向に収納されており、上段の引出体６ａの底面には連通部１４が形成されており、両引出体６ａ，７ａが収納位置に収納された状態において、連通部１４が外部空間に露呈されるようになっている。
【００５５】
連通部１４の下方には、連通部１４の下方を閉塞するようにフィルター２０’が設けられている。フィルター２０’は、特に詳細な図示はしないが、その周囲をアルミやステンレス等の金属材からなるフレーム枠に張設されており、該フレーム枠の左右端部に連設された取付片２７を、システムキッチン１の本体における引出体６ａ，７ａの左右側に配設される左右側板に取り付けることで、システムキッチン１の本体側に固設されている。
【００５６】
また、フィルター２０’のフレーム枠前端からは、収納位置に収納された上段の引出体６ａの前板１１背面下部が当接される上当接片２９ａが上向きに屈曲形成されているとともに、フレーム枠後端からは、収納位置に収納された下段の引出体７ａの前板１１背面上部が当接される下当接片２９ｂが下向きに屈曲形成されている。
【００５７】
このように、連通部１４を閉塞するフィルター２０’がフレーム枠を介してシステムキッチン１の本体側に固設されていることで、引出体６ａが収納位置に収納された状態において、該引出体６ａの連通部１４に対する位置関係が変わることがないため、連通部１４を確実に閉塞することができる。
【００５８】
さらに、フィルター２０’の一部である上当接片２９ａや下当接片２９ｂが、引出体６ａ，７ａが収納位置に収納された状態においてそれぞれの前板１１の背面に当接する、つまり面接触するようになっていることで、フィルター２０’と各引出体６ａ，７ａの前板１１との隙間が確実に閉塞され、これによりフィルター２０’と各引出体６ａ，７ａの前板１１との隙間からの虫やゴミ等の進入が効果的に防止される。
【００５９】
以上、本発明の実施例を図面により説明してきたが、本発明はこの実施例に限定されるものではなく、本発明の主旨を逸脱しない範囲における変更や追加があっても本発明に含まれることは言うまでもない。
【００６０】
例えば、前記実施例では、連通部１４はケコミ部１６，１６’に露呈するように設けられていたが、ケコミ部１６，１６’とは別個に設けた段部を利用して外部空間に露呈されるようにしてもよい。
【００６１】
また、連通部１４は、引出体が収納位置に収納された状態で外部空間に直接露呈するものに限定されるものではなく、上記フィルター２０等を介して外部空間に間接的に露呈されるものであってもよい。
【００６２】
また、前記実施例では、連通部１４は引出体６ａ〜６ｄの左右幅方向にわたり形成されていたが、左右幅方向の一部にのみ形成されていてもよい。
【００６３】
また、前記実施例では、連通部１４は、引出体の底面の一部を構成する貫通孔１８等を有する板体１７により閉塞されていたが、底板８に直接貫通孔等を形成し、該貫通孔を連通部として構成してもよい。
【００６４】
さらに、例えば底板８全体をパンチングメタル等の金属板等にて構成し、収納位置においてその一部が外部空間に露呈されるようにしてもよい。つまり、収納位置において連通部の少なくとも一部が外部空間に露呈されるようになっていればよい。
【００６５】
また、前記実施例では、システムキッチン１の正面に設けられた引出体６ａ、６ｂ、６ｄに連通部１４が適用された例を記載したが、システムキッチン１の左右側面や背面等の前面に設けた引出体に適用してもよい。
【図面の簡単な説明】
【００６６】
【図１】本発明の実施例１としてのシステムキッチンの全体像を示す斜視図である。
【図２】図１のシステムキッチンに収納された引出体を示す背面斜視図である。
【図３】図１におけるシステムキッチンのＡ−Ａ縦断面図である。
【図４】図１におけるシステムキッチンのＢ−Ｂ縦断面図である。
【図５】実施例２としてのシステムキッチンを示す縦断面図である。
【図６】実施例３としてのシステムキッチンを示す縦断面図である。
【図７】実施例４としてのシステムキッチンを示す縦断面図である。
【図８】実施例５としてのシステムキッチンを示す縦断面図である。
【符号の説明】
【００６７】
１                システムキッチン（キャビネット）
５                収納空間
６ａ，６ａ’，６ａ’’  引出体
６ｂ，６ｃ，６ｄ  引出体
７ａ，７ｂ，７ｃ  引出体
８                底板
１１              前板
１４              連通部
１５              通風孔
１６，１６’      ケコミ部
１７，１７’      板体
１８              貫通孔（連通部）
１９              カセット体
２０，２０’      フィルター
２２              上板
２３              通気孔
２４              凹溝
２６              ケコミ板
【図１】
2008253518.tif 000003
【図２】
2008253518.tif 000004
【図３】
2008253518.tif 000005
【図４】
2008253518.tif 000006
【図５】
2008253518.tif 000007
【図６】
2008253518.tif 000008
【図７】
2008253518.tif 000009
【図８】
2008253518.tif 000010